(57)【要約】【課題】  本発明は、ネットワーク装置が同時に起動された場合において、通信ネットワーク上での通信量や管理装置への処理負荷を減少させることを目的とする。【解決手段】  ネットワーク装置１００の既定値書き換え部１１０は、既定値の書き込み要求を受けると、既定値格納部１０１に格納されている既定値を、最新の検出値に書き換える。一方、ネットワーク管理装置２００の既定値書き換え部２１０は、ネットワーク装置１００での既定値の書き換えに伴って、既定値格納部２０１に格納されている既定値を、最新の検出値に書き換える。【選択図】  図１ 
2005071183.tif 000002
【特許請求の範囲】
【請求項１】
通信ネットワークを介して接続されるネットワーク管理装置によって管理されるネットワーク装置であって、
ネットワーク管理のための属性毎に、予め決められた既定値を格納する既定値格納手段と、
前記属性毎の属性値を格納する属性値格納手段と、
起動時、前記既定値格納手段に格納されている前記既定値を前記属性毎の属性値の初期値として、前記属性値格納手段に格納する初期値設定手段と、
前記属性毎に、現在の属性値を検出する属性値検出手段と、
前記属性値検出手段が検出した属性値と前記属性値格納手段に格納されている属性値とが同一であるか否かを判断する属性値比較手段と、
前記属性値検出手段が検出した属性値と前記属性値格納手段に格納されている属性値とが異なるものであると前記属性値比較手段によって判断された場合、前記属性値格納手段に格納されている属性値を前記属性値検出手段が検出した属性値に置き換える属性値更新手段と、
前記属性値検出手段が検出した属性値と前記属性値格納手段に格納されている属性値とが異なるものであると前記属性値比較手段によって判断された場合、前記属性値検出手段が検出した属性値を前記ネットワーク管理装置に送信することによって、属性値が変化した旨を通知する通知手段と、
書き換え要求に従って、前記既定値格納手段に格納されている既定値を書き換える既定値書き換え手段とを備える、ネットワーク装置。
【請求項２】
前記属性値検出手段が検出した属性値と前記属性値格納手段に格納されている属性値とが異なるものであると前記属性値比較手段によって判断された場合、前記既定値書き換え手段に対して、前記既定値を前記属性値検出手段が検出した属性値に書き換えるよう前記既定値書き換え手段に要求する既定値更新手段をさらに備える、請求項１に記載のネットワーク装置。
【請求項３】
前記既定値格納手段に格納されている既定値の書き換えが許可されているか否かを示す判定フラグを前記既定値の属性毎に格納している判定フラグ格納手段をさらに備え、
前記既定値更新手段は、前記判定フラグ格納手段に格納されている判定フラグを参照し、既定値の書き換えが許可されている属性についてのみ、前記既定値書き換え手段に対して、既定値の書き換えを要求することを特徴とする、請求項２に記載のネットワーク装置。
【請求項４】
さらに、前記ネットワーク管理装置からの指示に応じて、前記判定フラグ格納手段に格納されている判定フラグを書き換える判定フラグ更新手段と、
前記判定フラグの書き換えが成功した場合、その旨を前記ネットワーク管理装置に通知する判定フラグ更新通知手段とを備える、請求項３に記載のネットワーク装置。
【請求項５】
さらに、前記ネットワーク管理装置からの指示に応じて、前記既定値格納手段に格納されている既定値を前記ネットワーク管理装置から与えられる指示値に置き換えるよう前記既定値書き換え手段に要求する指定値既定値更新手段と、
前記既定値の書き換えが成功した場合、その旨を前記ネットワーク管理装置に通知する既定値更新通知手段とを備える、請求項１に記載のネットワーク装置。
【請求項６】
さらに、前記ネットワーク管理装置からの指示に応じて、前記既定値格納手段に格納されている既定値を前記属性値格納手段に格納されている属性値に置き換えるよう前記既定値書き換え手段に要求する格納値既定値更新手段と、
前記既定値の書き換えに成功した場合、その旨を前記ネットワーク管理装置に通知する既定値更新通知手段とを備える、請求項１に記載のネットワーク装置。
【請求項７】
通信ネットワークを介して接続される少なくとも一以上のネットワーク装置を管理するためのネットワーク管理装置であって、
ネットワーク管理のための属性毎に、予め決められた既定値を格納する既定値格納手段と、
前記属性毎の属性値を格納する属性値格納手段と、
前記ネットワーク装置の起動時、前記既定値格納手段に格納されている前記既定値を前記属性毎の属性値の初期値として、前記属性値格納手段に格納する初期値設定手段と、
前記ネットワーク装置から属性値が変化した旨の通知を受け取った場合、前記属性値格納手段に格納されている属性値を当該通知に含まれている属性値に置き換える属性値更新手段と、
書き換え要求に従って、前記既定値格納手段に格納されている既定値を書き換える既定値書き換え手段とを備える、ネットワーク管理装置。
【請求項８】
前記ネットワーク装置から属性値が変化した旨の通知を受け取った場合、前記既定値書き換え手段に対して、既定値を当該通知に含まれている属性値に書き換えるよう前記既定値書き換え手段に要求する既定値更新手段をさらに備える、請求項７に記載のネットワーク管理装置。
【請求項９】
前記既定値格納手段に格納されている既定値の書き換えが許可されているか否かを示す判定フラグを前記既定値の属性毎に格納している判定フラグ格納手段をさらに備え、
前記既定値更新手段は、前記判定フラグ格納手段に格納されている判定フラグを参照して、既定値の書き換えが許可されている属性についてのみ、前記既定値書き換え手段に対して、既定値の書き換えを要求することを特徴とする、請求項８に記載のネットワーク管理装置。
【請求項１０】
さらに、前記ネットワーク装置内に格納されている判定フラグを管理者が所望する値に書き換えるよう前記ネットワーク装置に要求する判定フラグ書き換え要求手段と、
前記ネットワーク装置から判定フラグの書き換えが成功した旨の通知を受け取った場合、前記判定フラグ格納手段に格納されている判定フラグを、前記ネットワーク装置内での判定フラグと同一になるように書き換える判定フラグ更新手段とを備える、請求項９に記載のネットワーク管理装置。
【請求項１１】
さらに、前記ネットワーク装置内に格納されている既定値を管理者が所望する値に書き換えるように前記ネットワーク装置に要求する既定値書き換え要求手段と、
前記ネットワーク装置から既定値の書き換えが成功した旨の通知を受け取った場合、前記既定値格納手段に格納されている既定値を、前記ネットワーク装置内での既定値と同一になるように書き換えるよう前記既定値書き換え手段に要求する既定値更新手段とをさらに備える、請求項７に記載のネットワーク管理装置。
【請求項１２】
さらに、前記ネットワーク装置内に格納されている既定値を現在の属性値に書き換えるように前記ネットワーク装置に要求する既定値書き換え要求手段と、
前記ネットワーク装置から既定値の書き換えが成功した旨の通知を受け取った場合、前記既定値格納手段に格納されている既定値を、前記ネットワーク装置内での既定値と同一になるように書き換えるよう前記既定値書き換え手段に要求する既定値更新手段とをさらに備える、請求項７に記載のネットワーク管理装置。
【請求項１３】
通信ネットワークに接続される複数のネットワーク装置を、前記通信ネットワークに接続されるネットワーク管理装置で管理するためのネットワーク管理システムであって、
各前記ネットワーク装置は、請求項１に記載のネットワーク装置であり、
前記ネットワーク管理装置は、請求項７に記載のネットワーク管理装置であることを特徴とする、ネットワーク管理システム。
【発明の詳細な説明】
【技術分野】
【０００１】
本発明は、ネットワーク装置、ネットワーク管理装置およびネットワーク管理システムに関し、より特定的には、ネットワークを管理するための属性値の整合性を保つためのネットワーク装置、ネットワーク管理装置およびネットワーク管理システムに関する。
【背景技術】
【０００２】
通信ネットワークの信頼性を高め、通信ネットワークを効率的に使用するためには、通信ネットワーク上の各ネットワーク機器を効率的に管理する必要がある。このように、通信ネットワークを管理することをネットワーク管理という。ネットワーク管理の管理項目には、構成管理、障害管理、性能管理、課金管理、機密管理等がある（非特許文献１参照）。ここで、通信ネットワークを構成しているあらゆる装置の機能や性能の維持、正常な運用の維持を管理することを構成管理という。通信ネットワークに関する障害の早期発見、告知、原因追１および修復などを実施することを障害管理という。通信ネットワークシステムにおける性能データの収集や評価、将来のトラフィック量の増加に対応するための準備を実施することを性能管理という。利用者の利用量に応じて料金を管理することを課金管理という。通信ネットワークシステム上におけるデータの漏洩や改ざん、資源の不正使用の有無確認、ユーザＩＤやパスワードを管理することを機密管理という。
【０００３】
図２は、従来のネットワーク管理システムの全体構成を示す図である。図２において、従来のネットワーク管理システムは、ネットワーク管理装置９１と、ネットワーク装置９２〜９５とを備える。各ネットワーク装置は、自機器が有するネットワーク管理に用いられる属性を、必要に応じて、ネットワーク管理装置９１に伝える。ネットワーク管理装置９１は、各ネットワーク装置が有する属性を、必要に応じて、操作する。このように、属性が相互に管理・操作されることによって、各ネットワーク装置がネットワーク管理装置９１に管理されることとなる。
【０００４】
ネットワーク管理システムにおいて扱われる属性は、ネットワーク装置の起動時、ネットワーク管理装置とネットワーク装置との間で異なっている場合が多い。したがって、多数のネットワーク装置が同時に起動した場合、ネットワーク装置からネットワーク管理装置に対して、属性に関する検出値の通知が集中してしまい、ネットワーク上の通信量が増大し、かつネットワーク管理装置における処理負担が増大する。このような問題を解決するためのネットワーク管理システムが、非特許文献２等に開示されている。
【０００５】
図３は、上記問題を解決するための従来のネットワーク管理システムの構成を示すブロック図である。図３において、従来のネットワーク管理システムは、ネットワーク装置３００と、ネットワーク管理装置４００とを備える。ネットワーク装置３００は、既定値格納部３０１と、属性値格納部３０２と、属性値検出部３０３と、属性値比較部３０４と、通知送信部３０５と、属性値変化属性値更新部３０６とを含む。ネットワーク管理装置４００は、既定値格納部４０１と、属性値格納部４０２と、通知受信部４０５と、属性値変化属性値更新部４０６とを含む。
【０００６】
ネットワーク装置３００およびネットワーク管理装置４００は、属性値毎に予め決められた既定値を持っており、それらをそれぞれ既定値格納部３０１，４０１に格納している。
【０００７】
ネットワーク装置３００は、起動時、既定値格納部３０１から各属性の既定値を取り出し、取り出した既定値を属性毎の初期値として属性値格納部３０２に格納する。ネットワーク管理装置４００は、予め定められた方法でネットワーク装置３００の起動を検出した場合、既定値格納部４０１から各属性の既定値を取り出し、取り出した既定値を属性毎の初期値として属性値格納部４０２に格納する。
【０００８】
その後、属性値検出部３０３は、各属性について、現在の属性値を検出し、検出値を属性値比較部３０４に送る。属性値検出部３０３からの検出値を受信した属性値比較部３０４は、属性毎に、属性値格納部３０２に格納されている格納値と属性値検出部３０３からの検出値とを比較し、これらの間に差異が生じている場合、当該検出値を通知送信部３０５および属性値変化属性値交信部３０６に送る。以下、既定値と検出値との差異が生じた場合のことを属性値変化ということにする。通知送信部３０５は、属性値比較部３０４からの検出値を受信すると、差異が生じた属性およびその検出値を含む通知電文を生成し、ネットワーク管理装置４００に対して送信する。属性値変化属性値更新部３０６は、属性値比較部３０４からの検出値を受け取り、属性値格納部３０２に格納されている属性値を当該検出値に置き換える。
【０００９】
一方、ネットワーク管理装置４００の通知受信部４０５は、ネットワーク装置３００から送信されてくる通知電文を受信する。通知受信部４０５は、受信した通知電文を解析し、その結果、属性値変化であることを認識した場合、この通知電文に含まれる検出値を属性値変化属性値更新部４０６に送る。属性値変化属性値更新部４０６は、通知受信部４０５からの当該検出値を受信すると、属性値格納部４０２に格納されている属性値を当該検出値に置き換える。
【００１０】
以上のように、従来のネットワーク管理システムでは、ネットワーク装置の属性値が変化した場合、ネットワーク装置は、変化後の属性値を検出して、検出値としてネットワーク管理装置に通知する。これに応じて、ネットワーク管理装置は、送信されてくる検知値を属性値として登録しなおす。したがって、起動時、ネットワーク装置は、格納済みの既定値と現在の属性値とが異なっている場合のみ、ネットワーク管理装置に通知することとなる。ゆえに、複数のネットワーク装置が同時に起動したとしても、格納済みの既定値と現在の属性値とが同じであるならば、ネットワーク管理装置に通知が集中することがないので、ネットワーク上の通信量の増大や、ネットワーク管理装置の処理負荷増を防止することが可能となる。
【特許文献１】特開平０９−１６２８６３号公報
【非特許文献１】社団法人  電信電話技術委員会著、“ＪＴ−Ｘ７００  ＯＳＩネットワーク管理−アーキテクチャ仕様”、日本、社団法人  電信電話技術委員会、１９９６年７月２０日、４章
【非特許文献２】江越  春緑、外４名、“日立総合ネットワーク管理システム  ＮＥＴＭ  −状態管理方式−”、情報処理学会第４２回（平成３年前期）全国大会、日本、１−１６７〜１６８
【発明の開示】
【発明が解決しようとする課題】
【００１１】
従来のネットワーク装置およびネットワーク管理装置に予め登録されている既定値は、通信ネットワークの運用開始当初の属性値にあわせて決定された値である。しかし、通信ネットワークの運用を進めていく上で、その運用状態は変わっていく。したがって、当該運用が進むにつれて、ネットワーク装置の起動時、属性値と既定値との不一致が多発することとなる。結果、上記従来のネットワーク装置の起動時、検出値がネットワーク管理装置に対して送信される場合が多くなり、通信ネットワーク上の通信量やネットワーク管理装置の処理負担増を招来することとなってしまうという問題がある。
【００１２】
それゆえ、本発明は、通信ネットワークの運用が進んでも、ネットワーク装置の起動時に通信ネットワーク上の通信量やネットワーク管理装置の処理負担増が招来しないネットワーク管理システム、ネットワーク装置およびネットワーク管理装置を提供することを目的とする。
【課題を解決するための手段】
【００１３】
上記目的を達成するために、本発明は以下のような特徴を有している。
【００１４】
本発明のネットワーク装置は、既定値格納手段と、属性値格納手段と、初期値設定手段と、属性値検出手段と、属性値比較手段と、属性値更新手段と、通知手段と、既定値書き換え手段とを備える。既定値格納手段は、ネットワーク管理のための属性毎に、予め決められた既定値を格納する。属性値格納手段は、属性毎の属性値を格納する。初期値設定手段は、起動時、既定値格納手段に格納されている既定値を属性毎の属性値の初期値として、属性値格納手段に格納する。属性値検出手段は、属性毎に、現在の属性値を検出する。属性値比較手段は、属性値検出手段が検出した属性値と属性値格納手段に格納されている属性値とが同一であるか否かを判断する。属性値更新手段は、属性値検出手段が検出した属性値と属性値格納手段に格納されている属性値とが異なるものであると属性値比較手段によって判断された場合、属性値格納手段に格納されている属性値を属性値検出手段が検出した属性値に置き換える。通知手段は、属性値検出手段が検出した属性値と属性値格納手段に格納されている属性値とが異なるものであると属性値比較手段によって判断された場合、属性値検出手段が検出した属性値をネットワーク管理装置に送信することによって、属性値が変化した旨を通知する。既定値書き換え手段は、書き換え要求に従って、既定値格納手段に格納されている既定値を書き換える。
【００１５】
さらに、ネットワーク装置は、属性値検出手段が検出した属性値と属性値格納手段に格納されている属性値とが異なるものであると属性値比較手段によって判断された場合、既定値書き換え手段に対して、既定値を属性値検出手段が検出した属性値に書き換えるよう既定値書き換え手段に要求する既定値更新手段を備えていてもよい。
【００１６】
また、ネットワーク装置は、既定値格納手段に格納されている既定値の書き換えが許可されているか否かを示す判定フラグを既定値の属性毎に格納している判定フラグ格納手段をさらに備えていてもよい。この場合、既定値更新手段は、判定フラグ格納手段に格納されている判定フラグを参照し、既定値の書き換えが許可されている属性についてのみ、既定値書き換え手段に対して、既定値の書き換えを要求するとよい。
【００１７】
また、ネットワーク装置は、さらに、ネットワーク管理装置からの指示に応じて、判定フラグ格納手段に格納されている判定フラグを書き換える判定フラグ更新手段と、判定フラグの書き換えが成功した場合、その旨をネットワーク管理装置に通知する判定フラグ更新通知手段とを備えていてもよい。
【００１８】
また、ネットワーク装置は、さらに、ネットワーク管理装置からの指示に応じて、既定値格納手段に格納されている既定値をネットワーク管理装置から与えられる指示値に置き換えるよう既定値書き換え手段に要求する指定値既定値更新手段と、既定値の書き換えが成功した場合、その旨をネットワーク管理装置に通知する既定値更新通知手段とを備えていてもよい。
【００１９】
また、ネットワーク装置は、さらに、ネットワーク管理装置からの指示に応じて、既定値格納手段に格納されている既定値を属性値格納部に格納されている属性値に置き換えるよう既定値書き換え手段に要求する格納値既定値更新手段と、既定値の書き換えに成功した場合、その旨をネットワーク管理装置に通知する既定値更新通知手段とを備えていてもよい。
【００２０】
上記のようなネットワーク装置を管理するネットワーク管理装置には、以下のような特徴がある。
【００２１】
本発明のネットワーク管理装置は、既定値格納手段と、属性値格納手段と、初期値設定手段と、属性値更新手段と、既定値書き換え手段とを備える。既定値格納手段は、ネットワーク管理のための属性毎に、予め決められた既定値を格納する。属性値格納手段は、属性毎の属性値を格納する。初期値設定手段は、ネットワーク装置の起動時、既定値格納手段に格納されている既定値を属性毎の属性値の初期値として、属性値格納手段に格納する。属性値更新手段は、ネットワーク装置から属性値が変化した旨の通知を受け取った場合、属性値格納手段に格納されている属性値を当該通知に含まれている属性値に置き換える。既定値書き換え手段は、書き換え要求に従って、既定値格納手段に格納されている既定値を書き換える。
【００２２】
さらに、ネットワーク管理装置は、ネットワーク装置から属性値が変化した旨の通知を受け取った場合、既定値書き換え手段に対して、既定値を当該通知に含まれている属性値に書き換えるよう既定値書き換え手段に要求する既定値更新手段を備えていてもよい。
【００２３】
また、ネットワーク管理装置は、既定値格納手段に格納されている既定値の書き換えが許可されているか否かを示す判定フラグを既定値の属性毎に格納している判定フラグ格納手段をさらに備えていてもよい。この場合、既定値更新手段は、判定フラグ格納手段に格納されている判定フラグを参照して、既定値の書き換えが許可されている属性についてのみ、既定値書き換え手段に対して、既定値の書き換えを要求するとよい。
【００２４】
また、ネットワーク管理装置は、さらに、ネットワーク装置内に格納されている判定フラグを管理者が所望する値に書き換えるようネットワーク装置に要求する判定フラグ書き換え要求手段と、ネットワーク装置から判定フラグの書き換えが成功した旨の通知を受け取った場合、判定フラグ格納手段に格納されている判定フラグを、ネットワーク装置内での判定フラグと同一になるように書き換える判定フラグ更新手段とを備えていてもよい。
【００２５】
また、ネットワーク管理装置は、さらに、ネットワーク装置内に格納されている既定値を管理者が所望する値に書き換えるようにネットワーク装置に要求する既定値書き換え要求手段と、ネットワーク装置から既定値の書き換えが成功した旨の通知を受け取った場合、既定値格納部に格納されている既定値を、ネットワーク装置内での既定値と同一になるように書き換えるよう既定値書き換え手段に要求する既定値更新手段とをさらに備えていてもよい。
【００２６】
また、ネットワーク管理装置は、さらに、ネットワーク装置内に格納されている既定値を現在の属性値に書き換えるようにネットワーク装置に要求する既定値書き換え要求手段と、ネットワーク装置から既定値の書き換えが成功した旨の通知を受け取った場合、既定値格納部に格納されている既定値を、ネットワーク装置内での既定値と同一になるように書き換えるよう既定値書き換え手段に要求する既定値更新手段とを備えていてもよい。
【００２７】
そして、上記のようなネットワーク装置を通信ネットワークに接続し、上記のようなネットワーク管理装置によって管理することで、上記目的を達成することができるネットワーク管理システムが提供できる。
【発明の効果】
【００２８】
本発明によれば、通信ネットワークの運用が進むに従って、既定値と属性値との相違が生じるようになったとしても、既定値が現在の属性値に書き換えられることとなるので、既定値と属性値との不一致が解消されることとなる。したがって、ネットワーク装置の起動時に、ネットワーク管理装置への通信が集中し、通信ネットワーク上の通信量やネットワーク管理装置の処理負担増の招来を防止することができる。また、既定値を管理者の所望通りに変更することができる。
【発明を実施するための最良の形態】
【００２９】
図１は、本発明の一実施形態に係るネットワーク管理システムの構成を示すブロック図である。図１において、ネットワーク管理システムは、ネットワーク装置１００と、ネットワーク管理装置２００とを備える。図１では、各値の流れが分かるように、要所に各値の名称を記載している。なお、図１では、ネットワーク装置１００およびネットワーク管理装置２００をそれぞれ一つだけ図示したが、これらは、それぞれ複数あってもよい。また、図１において、ネットワーク装置１００とネットワーク管理装置２００とを相互に接続するための通信ネットワークについては、図示を省略している。
【００３０】
図１において、ネットワーク装置１００は、既定値格納部１０１と、属性値格納部１０２と、属性値検出部１０３と、属性値比較部１０４と、通知送信部１０５と、属性値変化属性値更新部１０６と、既定値書き換え部１１０と、属性値変化既定値更新部１２０と、判定フラグ格納部１３０と、コマンド通信部１４０と、判定フラグ更新部１４１と、コマンド受信指示値既定値更新部１５０と、コマンド受信格納値既定値更新部１６０とを含む。
【００３１】
既定値格納部１０１は、各属性毎に、予め決められている属性値（以下、既定値という）を格納するための記憶装置である。属性値格納部１０２は、各属性毎に、現在の属性値を格納するための記憶装置である。属性値格納部１０２に格納されている属性値を格納値ということにする。
【００３２】
属性値検出部１０３は、各属性毎に、現在の属性値を検出する。属性値検出部１０３が検出した属性値を検出値ということにする。属性値比較部１０４は、検出値と格納値とを比較する。通知送信部１０５は、通知送信部１０５は、属性値の変化をネットワーク管理装置２００に伝えるための通信装置である。
【００３３】
属性値変化属性値更新部１０６は、属性値格納部１０２に格納されている格納値を更新することができる。既定値書き換え部１１０は、既定値格納部１０１に格納されている既定値を書き換えることができる。属性値変化既定値更新部１２０は、既定値格納部１０１に格納されている既定値を検出値に置き換えるために、既定値書き換え部１１０に書き換えさせることができる。判定フラグ格納部１３０は、各属性毎に、既定値の書き換えが許可されているか否かを示すフラグ（以下、判定フラグという）を格納するための記憶装置である。
【００３４】
コマンド通信部１４０は、ネットワーク管理装置２００から送られてくるコマンドを受信して解析し、応答を返すための通信装置である。判定フラグ更新部１４１は、受信したコマンドに応じて、判定フラグ格納部１３０に格納されている判定フラグを更新することができる。コマンド受信指示値既定値更新部１５０は、受信したコマンドに応じて、既定値格納部１０１に格納されている既定値を既定値書き換え部１１０に書き換えさせることができる。コマンド受信格納値既定値更新部１６０は、受信したコマンドに応じて、既定値格納部１０１に格納されている既定値を既定値書き換え部１１０に書き換えさせることができる。
【００３５】
図１において、ネットワーク管理装置２００は、既定値格納部２０１と、属性値格納部２０２と、通知受信部２０５と、属性値変化属性値更新部２０６と、既定値書き換え部２１０と、属性値変化既定値更新部２２０と、判定フラグ格納部２３０と、コマンド通信部２４０と、判定フラグ更新部２４１と、コマンド入力部２４２と、コマンド受信指示値既定値更新部２５０と、コマンド受信格納値既定値更新部２６０とを含む。
【００３６】
既定値格納部２０１は、各属性毎に、予め決められている属性値（既定値）を格納するための記憶装置である。属性値格納部２０２は、各属性毎に、現在の属性値（格納値）を格納するための記憶装置である。
【００３７】
通知受信部２０５は、ネットワーク装置１００から送られてくる電文を受信するための通信装置である。属性値変化属性値更新部２０６は、属性値格納部２０２に格納されている格納値を更新することができる。既定値書き換え部２１０は、既定値格納部２０１に格納されている既定値を書き換えることができる。属性値変化既定値更新部２２０は、既定値格納部２０１に格納されている既定値を検出値に置き換えるために、既定値書き換え部２１０に書き換えさせることができる。判定フラグ格納部２３０は、各属性毎に、既定値の書き換えが許可されているか否かを示すフラグ（判定フラグ）を格納するための記憶装置である。
【００３８】
コマンド入力部２４２は、管理者の操作に応じて、コマンドを作成するための入力デバイスである。コマンド通信部２４０は、コマンド入力部２４２によって作成されたコマンドをネットワーク装置１００へ送信すると共に、送信したコマンドに対するネットワーク装置１００からの応答を受信して解析するための通信装置である。判定フラグ更新部２４１は、受信した応答に応じて、判定フラグ格納部２３０に格納されている判定フラグを更新することができる。コマンド受信指示値既定値更新部２５０は、受信した応答に応じて、既定値格納部２０１に格納されている既定値を既定値書き換え部２１０に書き換えさせることができる。コマンド受信格納値既定値更新部２６０は、受信した応答に応じて、既定値格納部２０１に格納されている既定値を既定値書き換え部２１０に書き換えさせることができる。
【００３９】
以下、図１を参照しながら、ネットワーク装置１００およびネットワーク管理装置２００の動作について説明する。
【００４０】
まず、ネットワーク装置１００が起動したとき、ネットワーク装置１００内における制御部（図示せず）は、既定値格納部１０１に格納されている各属性の既定値を、属性値格納部１０２に格納し、各属性の初期値とする。このように、ネットワーク装置１００は、既定値格納部１０１に格納されている値を属性値の初期値として設定するための初期値設定手段を有する。なお、以下の説明では、簡単のために、格納部に格納されている情報（既定値や格納部、フラグ等）を別の格納部に格納する処理については、単に、ネットワーク装置１００が行うと表現し、制御部についての記載を省略する。ネットワーク管理装置２００についても同様とする。
【００４１】
ネットワーク管理装置２００は、予め決められた方法（たとえば、ネットワーク装置１００からの通知等）に基づいて、ネットワーク装置１００の起動を検出し、既定値格納部２０１に格納されている各属性の既定値を、属性値格納部２０２に格納し、各属性の初期値とする。
【００４２】
通信ネットワークの運用中、属性値検出部１０３は、各属性の現在の属性値を検出し、当該検出値を属性値比較部１０４に送る。属性値比較部１０４は、属性値格納部１０２に格納されている各属性の格納値を読み出し、読み出した格納値と属性値検出部１０３からの検出値とを比較する。比較の結果、これらの間に差異がある場合、属性値比較部１０４は、当該検出値を通知送信部１０５、属性値変化属性値更新部１０６、および属性値変化既定値更新部１２０に送る。以下、既定値と検出値との差異が生じた場合のことを属性値変化ということにする。
【００４３】
通知送信部１０５は、属性値比較部１０４からの検出値を受信すると、当該検出値を含む通知電文を生成し、ネットワーク管理装置２００に対して送信する。
【００４４】
属性値変化属性値更新部１０６は、属性値比較部１０４からの検出値を受信すると、当該検出値の属性について、属性値格納部１０２に格納されている属性値を当該検出値に置き換える。
【００４５】
属性値変化既定値更新部１２０は、属性値比較部１０４からの検出値を受け取ると、判定フラグ格納部１３０内の判定フラグを確認し、当該検出値の属性に対して、既定値の書き換えが許可されているか否かを判断する。当該検出値の属性に対して、当該属性に対する既定値の書き換えが許可されていると判断した場合、属性値変化既定値更新部１２０は、属性値比較部１０４から受け取った検出値を既定値書き換え部１１０に送る。
【００４６】
属性値変化既定値更新部１２０から検出値を受け取った場合、既定値書き換え部１１０は、既定値格納部１０１に格納されている当該検出値の属性に対応する既定値を、当該検出値に置き換える。一方、当該属性に対する既定値の書き換えが許可されていないと判断した場合、属性値変化既定値更新部１２０は、属性値比較部１０４から受け取った検出値を破棄する。
【００４７】
このように、判定フラグが設定されている属性について、既定値と検出値との相違が生じた場合、ネットワーク装置は、既定値を検出値に置き換えることによって、既定値を最新の値に更新することができる。したがって、ネットワークの運用が進んだとしても、ネットワーク装置の起動時、ネットワーク装置において、既定値と検出値とが相違するため、ネットワーク管理装置への通知が多発するといった事態が防止されることとなる。
【００４８】
ネットワーク管理装置２００の通知受信部２０５は、ネットワーク装置１００からの通知電文を受信し、当該通知電文を解析して、属性値変化の通知であるか否かを判断する。属性値変化の通知である場合、当該通知電文に含まれている検出値を属性値変化属性値更新部２０６および属性値変化既定値更新部２２０に送る。
【００４９】
属性値変化属性値更新部２０６は、通知受信部２０５からの検出値を受信すると、当該検出値の属性について、属性値格納部２０２に格納されている属性値を当該検出値に置き換える。
【００５０】
属性値変化既定値更新部２２０は、通知受信部２０５からの検出値を受け取ると、判定フラグ格納部２３０内の判定フラグを確認し、当該検出値の属性に対して、既定値の書き換えが許可されているか否かを判断する。当該検出値の属性に対して、当該属性に対する既定値の書き換えが許可されていると判断した場合、属性値変化既定値更新部２２０は、通知受信部２０５から受け取った検出値を既定値書き換え部２１０に送る。通知受信部２０５から検出値を受け取った場合、既定値書き換え部２１０は、既定値格納部１０１に格納されている当該検出値の属性に対応する既定値を、当該検出値に置き換える。一方、当該属性に対する既定値の書き換えが許可されていないと判断した場合、属性値変化既定値更新部２２０は、通知受信部２０５から受け取った検出値を破棄する。
【００５１】
このように、ネットワークの運用が進み、ネットワーク装置における既定値が書き換えられた場合、ネットワーク管理装置においても、既定値の書き換えが行われることとなるので、ネットワーク装置とネットワーク管理装置との間で、同一の既定値が登録されることとなる。したがって、既定値の書き換えが行われたとしても、ネットワーク管理に支障が生じることはない。
【００５２】
コマンド入力部２４２は、管理者が入力した操作指示を認識し、当該操作指示に対応するコマンドを生成して、コマンド通信部２４０に送る。
【００５３】
コマンドの種類としては、判定フラグ更新用コマンド、指示値既定値更新用コマンド、および格納値既定値更新用コマンドの３種類がある。判定フラグ更新用コマンドは、判定フラグ格納部１３０に格納されている判定フラグを更新するためのコマンドである。判定フラグ更新用コマンドには、更新したい判定フラグの属性を示す属性ＩＤ、および新たに登録する判定フラグの値（以下、判定フラグ更新値という）が含まれている。指示値既定値更新用コマンドは、既定値格納部１０１に格納されている既定値を手動で更新するためのコマンドである。指定値既定値更新用コマンドには、更新したい既定値の属性を示す属性ＩＤ、および新たに登録する既定値の値（以下、指示値という）が含まれている。格納値既定値更新用コマンドは、既定値格納部１０１に格納されている既定値を属性値格納部１０２に格納されている格納値に手動で置換するためのコマンドである。格納値既定値更新用コマンドには、更新したい既定値の属性を示す属性ＩＤが含まれている。
【００５４】
コマンド通信部２４０は、コマンド入力部２４２からのコマンドを受信すると、コマンドに対応する要求電文を生成し、ネットワーク装置１００に対して送信する。
【００５５】
ネットワーク装置１００において、コマンド通信部１４０は、コマンド通信部２４０からの要求電文を受信すると、当該要求電文の内容を確認してそれに含まれるコマンドの種類を認識する。
【００５６】
コマンド通信部１４０は、認識したコマンドの種類が判定フラグ更新用コマンドである場合、判定フラグ更新部１４１に対して、必要な処理をするよう命令する。認識したコマンドの種類が指示値既定値更新用コマンドである場合、コマンド通信部１４０は、コマンド受信指示値既定値更新部１５０に対して、必要な処理をするよう命令する。認識したコマンドが格納値既定値更新用コマンドである場合、コマンド通信部１４０は、コマンド受信格納値既定値更新部１６０に対して、必要な処理をするよう命令する。判定フラグ更新部１４１、コマンド受信指示値既定値更新部１５０、およびコマンド受信格納値既定値更新部１６０の詳しい動作については、後述する。
【００５７】
判定フラグ更新部１４１、コマンド受信指示値既定値更新部１５０、およびコマンド受信格納値既定値更新部１６０は、コマンド通信部１４０に命令された処理の成否結果をコマンド通信部１４０に送る。これに応じて、コマンド通信部１４０は、コマンドに基づく処理の成否結果を応答電文としてネットワーク管理装置２００に返信する。
【００５８】
ネットワーク管理装置２００において、コマンド通信部２４０は、コマンド通信部１４０から返信されてきた応答電文を受信し、応答電文の内容を確認する。応答電文の内容が判定フラグ更新用コマンドに対する応答である場合、判定フラグ更新部２４１に対して、必要な処理をするよう命令する。応答電文の内容が指示値既定値更新用コマンドに対する応答である場合、コマンド通信部２４０は、コマンド受信指示値既定値更新部２５０に対して、必要な処理をするよう命令する。応答電文の内容が格納値既定値更新用コマンドに対する応答である場合、コマンド通信部２４０は、コマンド受信格納値既定値更新部２６０に対して、必要な処理をするよう命令する。判定フラグ更新部２４１、コマンド受信指示値既定値更新部２５０、およびコマンド受信格納値既定値更新部２６０の詳しい動作については、後述する。
【００５９】
判定フラグ更新用コマンドを受信した場合、コマンド通信部１４０は、当該判定フラグ更新用コマンドに含まれる属性ＩＤおよび判定フラグ更新値を判定フラグ更新部１４１に送る。
【００６０】
判定フラグ更新部１４１は、コマンド通信部１４０からの属性ＩＤおよび判定フラグ更新値を受信すると、判定フラグ格納部１３０に格納されている判定フラグの中で、当該属性ＩＤが示す属性の判定フラグを当該判定フラグ更新値に置き換える。
【００６１】
このように、判定フラグを判定フラグ更新値に置換することができるので、属性ごとの判定フラグの設定および非設定を、管理者が選択することができる。したがって、既定値を最新の検出値に常に更新するか否かを、管理者が設定することができる。
【００６２】
指示値既定値更新用コマンドを受信した場合、コマンド通信部１４０は、当該指示値既定値更新用コマンドに含まれる属性ＩＤおよび指示値をコマンド受信指示値既定値更新部１５０に送る。
【００６３】
コマンド受信指示値既定値更新部１５０は、コマンド通信部１４０からの属性ＩＤおよび指示値を受信すると、既定値書き換え部１１０に対して、当該指示値を設定値として既定値書き換え部１１０に登録するよう、既定値書き換え部１１０に要求する。既定値書き換え部１１０は、当該要求に応じて、当該属性ＩＤに対応する属性の設定値を当該指示値に置き換える。
【００６４】
このように、既定値を指示値に置換することができるので、管理者は、手動で、既定値を所望の値に更新することができる。
【００６５】
格納値既定値更新用コマンドを受信した場合、コマンド通信部１４０は、当該格納値既定値更新用コマンドに含まれる属性ＩＤをコマンド受信格納値既定値更新部１６０に送る。
【００６６】
コマンド受信格納値既定値更新部１６０は、コマンド通信部１４０からの属性ＩＤを受信すると、属性値格納部１０２から、当該属性ＩＤが示す属性についての最新の属性値を格納値として読み出す。次に、コマンド受信格納値既定値更新部１６０は、読み出した格納値を既定値として既定値書き換え部１１０に登録するよう、既定値書き換え部１１０に要求する。既定値書き換え部１１０は、当該要求に応じて、当該属性ＩＤに対応する属性の設定値を当該格納値に置き換える。
【００６７】
このように、既定値を格納値に置換することができるので、管理者は、希望する属性について、希望するタイミングでコマンドを発行することにより、指定した属性の既定値を、そのタイミングでの属性の示す属性値に更新することができる。
【００６８】
判定フラグ更新用コマンドに対する応答を受信した場合、コマンド通信部２４０は、処理が成功した旨を示しているものであるか否かを判断する。成功した旨を示している場合、コマンド通信部２４０は、当該判定フラグ更新用コマンドに含まれていた属性ＩＤおよび判定フラグ更新値を判定フラグ更新部２４１に送る。
【００６９】
判定フラグ更新部２４１は、コマンド通信部２４０からの属性ＩＤおよび判定フラグ更新値を受信すると、判定フラグ格納部２３０に格納されている判定フラグの中で、当該属性ＩＤが示す属性の判定フラグを当該判定フラグ更新値に置き換える。
【００７０】
このように、ネットワーク装置における判定フラグが有効に更新された場合、ネットワーク管理装置においても更新されることとなるので、ネットワーク管理に支障が生じることはない。
【００７１】
指示値既定値更新用コマンドに対する応答を受信した場合、コマンド通信部２４０は、しょりが成功した旨を示しているものであるか否かを判断する。成功した旨を示している場合、コマンド通信部２４０は、当該指示値既定値更新用コマンドに含まれていた属性ＩＤおよび指示値をコマンド受信指示値既定値更新部２５０に送る。
【００７２】
コマンド受信指示値既定値更新部２５０は、コマンド通信部２４０からの属性ＩＤおよび指示値を受信すると、既定値書き換え部２１０に対して、当該指示値を設定値として既定値書き換え部２１０に登録するよう、既定値書き換え部２１０に要求する。既定値書き換え部２１０は、当該要求に応じて、当該属性ＩＤに対応する属性の設定値を当該指示値に置き換える。
【００７３】
このように、ネットワーク装置における既定値が指示値に置き換えられた場合、ネットワーク管理装置においても置き換えられることとなるので、ネットワーク管理に支障が生じることはない。
【００７４】
格納値既定値更新用コマンドに対する応答を受信した場合、コマンド通信部２４０は、処理が成功した旨を示しているものであるか否かを判断する。成功した旨を示している場合、コマンド通信部２４０は、当該格納値既定値更新用コマンドに含まれていた属性ＩＤをコマンド受信格納値既定値更新部２６０に送る。
【００７５】
コマンド受信格納値既定値更新部２６０は、コマンド通信部２４０からの属性ＩＤを受信すると、属性値格納部２０２から、当該属性ＩＤが示す属性についての最新の属性値を格納値として読み出す。次に、コマンド受信格納値既定値更新部２６０は、読み出した格納値を既定値として既定値書き換え部２１０に登録するよう、既定値書き換え部２１０に要求する。既定値書き換え部２１０は、当該要求に応じて、当該属性ＩＤに対応する属性の設定値を当該格納値に置き換える。
【００７６】
このように、ネットワーク装置における既定値が格納値に置き換えられた場合、ネットワーク管理装置においても置き換えられることとなるので、ネットワーク管理に支障が生じることはない。
【００７７】
なお、上記実施形態では、既定値の書き換え方法として、属性値変化既定値更新部によって既定値を最新の属性値に常時更新していく方法、コマンド受信指示値既定値更新部によって管理者が指定した値に属性値を更新していく方法、およびコマンド受信格納値既定値更新部によって管理者が指示したタイミングで現在の属性値を既定値に置き換える方法を示した。これらの方法の内、いずれの方法を利用するかは、予め設定されていてもよいし、管理者が選択的に設定するようにしてもよい。当然、予め設定されていたとしても、管理者は、後で変更できるようにしてもよい。
【００７８】
なお、上記のような動作をコンピュータ装置に実行させることができるプログラムを用いて、ソフトウエア的にネットワーク装置１００およびネットワーク管理装置２００を実現するようにしてもよい。
【産業上の利用可能性】
【００７９】
本発明に係るネットワーク装置、ネットワーク管理装置およびネットワーク管理システムは、ネットワーク装置の起動時にネットワーク管理装置への通知が多発するといった事態を防止することができ、ネットワーク管理等の分野において有用である。
【図面の簡単な説明】
【００８０】
【図１】本発明の一実施形態に係るネットワーク管理システムの構成を示すブロック図
【図２】従来のネットワーク管理システムの全体構成を示す図
【図３】従来のネットワーク管理システムの構成を示すブロック図
【符号の説明】
【００８１】
１００  ネットワーク装置
１０１，２０１  既定値格納部
１０２，２０２  属性値格納部
１０３  属性値検出部
１０４  属性値比較部
１０５  通知送信部
１０６，２０６  属性値変化属性値更新部
１１０  既定値書き換え部
１２０，２２０  属性値変化既定値更新部
１３０，２３０  判定フラグ格納部
１４０，２４０  コマンド通信部
１４１，２４１  判定フラグ更新部
１５０，２５０  コマンド受信指示値既定値更新部
１６０，２６０  コマンド受信格納値既定値更新部
２００  ネットワーク管理装置
２０５  通知受信部
２４２  コマンド入力部
【図１】
2005071183.tif 000003
【図２】
2005071183.tif 000004
【図３】
2005071183.tif 000005